(57)【特許請求の範囲】
【請求項１】
近視、遠視或いは老眼などの矯正用メガネレンズと、ノーズパッドとを備えたレンズフレームに、一端を枢着された一対のメガネづるであって、メガネづるの自由端部には、矯正使用時に対応する通常の耳掛け部を有すると共に、これに連続して裸眼の状態に対応する第二の耳掛け部を一体的に成形してなり、メガネレンズによる矯正使用時にはノーズパッドが鼻根付近の鼻屋に位置し、通常の耳掛け部が耳陀の付け根に位置してメガネフレームを矯正使用状態に保持する一方、裸眼の使用状態の時には、ノーズパッドを鼻翼付近に位置させて支えると共に、第二の耳掛け部が耳陀の付け根に位置し、メガネレンズへの視線の方向が正面視野から下方に外れて正面視野では裸眼の状態を保持するよう寸法決めしたことにより、この状態において視線を下方に向けることでメガネレンズを見通せるよう構成したことを特徴とするメガネづる。
【発明の詳細な説明】
【技術分野】
【０００１】
本発明は、近視又は遠視の人或いは正常な視力の人が、年齢とともに視力が衰えて老眼になった際に便利な、即ち、一つの近視用メガネ又は遠視用メガネ或いは老眼用メガネでありながら、当該メガネを掛けたまま二種類の視力状態に対応することができ、しかも特殊なレンズフレームの可動機構や高価な遠近両用の複合レンズを用いることなく安価にその二種類の機能を果すことができると共に、メガネを取り外したり掛け替えたりする煩わしさを解消し、かつ、耐久性等に優れたメガネづるに関する。
【背景技術】
【０００２】
一般に、近視又は遠視の人は近視用又は遠視用の度付きメガネを使用しているが、老眼の年齢に達した以降は、手元の小さな文字などを見る際には、矯正のための近視用又は遠視用メガネを取り外し、裸眼で近付いて見るかルーペを使用して文字などを拡大して見たり、又は老眼鏡を使用することが多く、一方、正常な視力を保っている人であっても、老眼鏡を掛けて手元の小さな文字などを見る様にしており、何れの場合もその都度メガネをいちいち取り外したり、掛けたりしているのが一般的である。
また、そのような煩わしさを少しでも解消するものとして、レンズに特殊加工を施した所謂遠近両用メガネが提案されているが、この場合は、レンズの視野が狭くなるばかりでなく、特殊加工の複合メガネレンズは、それ自体が高価になるものであった。
【０００３】
更に、視力の矯正使用のために一旦掛けたメガネを装着したまま近視と老眼(裸眼)、遠視と老眼(裸眼)、及び正常(裸眼)と老眼(矯正)、等夫々二種類の使用状態に対応できるような新たな機能を果たすアイデアの提案として、例えば、レンズ部分をレンズフレームごとメガネづる部分に対して上方に回動させて跳ね上げ状態にしたり、或いは特許文献１に示されている様に、レンズフレーム部分を二重フレーム構造に構成して、必要なときにレンズ部分をレンズフレームごとメガネづるから前方に引き出すことにより、夫々レンズによる矯正使用状態から裸眼の状態へと変更できるものなどが提案されているが、夫々のレンズ部分を視野の外に移動させるための可動機構が複雑であるばかりでなく、レンズ部分を支える支持フレーム部材の耐久性に不安があり、しかも複雑かつ高価なものとなるのが実情であった。
【０００４】
また、メガネづるの特殊な構成として、メガネづるの端部における通常の矯正使用のための耳掛け部を折りたたみ自在に構成し、折りたたんで使用したり引き出して使用したりすることによって、メガネレンズの視線を変更して遠近両用に応じ掛け直して使い分ける様にしたもの（特許文献２）や、或いは、メガネづるにおける耳掛け部の特殊形状として、例えば、メガネを掛けたままメークアップが可能なように、メガネフレームをリフトアップ状態に保持しつつ視力を確保し、かつ目元周りの化粧をしやすくするために、メガネレンズを持ち上げて支持する鼻当て部と、メガネづるとして本来の耳掛け部からせり上がる湾曲部を有する耳掛けホルダーとの組合せ構造により、使用時には、目元周りとメガネフレームとの間に大きな作業空間を確保できるよう構成したもの（特許文献３）などが知られている。
【先行技術文献】
【特許文献】
【０００５】
【特許文献１】実開昭６０−１００７２２号公報
【特許文献２】特開２００９−２９４４９１号公報
【特許文献３】特開２００２−８２３１２号公報
【発明の概要】
【発明が解決しようとする課題】
【０００６】本発明は、単にメガネづるの耳掛け部の形状を少し延長するだけで、従来の様な特殊な複合レンズ加工や、メガネフレームにおける特殊な可動機構を採用することなしに、眼鏡を掛けたまま度付きメガネレンズの使用を可能にする矯正使用状態と、裸眼の状態との二種類の使用状態に対応することができるものであり、特に上記特許文献１における様な、鼻かけ用のリブ５とガイドパイプ６、及び耳かけ杆７に連なる耳かけ部３によりフレーム１を構成し、レンズ２を支持するスライドフレーム４を、上記ガイドパイプ６内に収納引出し自在に構成した複雑なメガネフレーム構造を有するものに比べ、メガネフレーム構造を極めてシンプルな形状にすることができると共に、メガネレンズの矯正使用状態と裸眼の状態との二種類の使用状態を、極めて簡単かつ安価に提供できるようにした優れた効果を有するものである。また、矯正使用状態の視線を変更する目的のもとになされた上記特許文献２における様に、メガネテンプル３の端部の耳当て部本体１に、枢支軸４を介して回動自在に特殊形状の耳当て補助片５を設けて、耳当て部本体１による通常の使用状態からメガネレンズの視線角度を下向きに変更したい時には、一旦メガネを外してから、耳当て補助片５を回動させて耳当て部本体１の下方に折りたたんでメガネを掛け直すように構成したものに比べ、本発明は枢軸などの回動構造がないので、その分メガネフレーム構造を極めてシンプルな形状にすることができ、その耐久性に優れたものであるばかりでなく、メガネとしての二種類の使用状態も、メガネを取り外してセットし直す必要もなく、メガネを掛けたままの状態で視線の方向を変えるだけで簡単に果たすことができるようにしたものである。更に、眼鏡を掛けた状態でのメークアップ作業をしやすくすることを目的としてなされた特許文献３におけるようなメガネづるにあっては、本来の耳かけ部２からせり上がる上方押し上げ湾曲部１１を備えた耳かけホルダー３を設けると共に、これと協同してレンズ７をリフトアップするための特殊な鼻かけ部５を設けて、メガネフレーム全体を持ち上げ保持できる様にしたものであり、従って、このものは、メガネとしての二種類の使用状態に対応することができる構成のものではなく、全くその構成と目的及び作用効果を本発明と異にするものである。【０００７】そこで、本発明は、殊に上記特許文献１或いは特許文献２における複雑なフレーム構造による不具合を改善すると共に、度付きレンズによる矯正使用状態と裸眼での使用状態との二種類の使用状態に、メガネを掛けたまま対応することができ、かつ耐久性に優れたメガネづるを提供する目的のもとに創案されたものであって、正常な視力の人は勿論のこと、近視或いは遠視の人が老眼の年齢に達した以降であっても、度付きの近視用又は遠視用メガネをその都度取り外すような煩わしさを改善する事ができ、即ち、一旦眼の矯正使用のために掛けた眼鏡を装着したまま、近視と老眼(裸眼)、遠視と老眼(裸眼)、及び正常(裸眼)と老眼(矯正)、等夫々二種類（矯正使用と裸眼）の使用状態に対応できる機能を視線の変更だけで簡単に果たすことの出来る安価なメガネづるを提供することを目的とし、しかも従来の遠近両用等の高価な加工を施し���複合メガネレンズや、可動構造の多い複雑なメガネフレームの構成に比べ、極めてシンプルな構成でありながら初期の機能を確実に果たし得るばかりでなく、信頼性と耐久性に優れたメガネづるを安価に提供することである。
【課題を解決するための手段】
【０００８】上記目的を達成するため、本発明の課題解決手段は、近視、遠視或いは老眼等の矯正用メガネレンズと、ノーズパッドとを備えたレンズフレームに、一端を枢着された一対のメガネづるであって、メガネづるの自由端部には、矯正使用時に対応する通常の耳掛け部を有すると共に、これに連続して裸眼の状態に対応する第二の耳掛け部を一体的に成形してなり、メガネレンズによる矯正使用時にはノーズパッドが鼻根付近の鼻屋に位置し、通常の耳掛け部が耳陀の付け根に位置してメガネフレームを矯正使用状態に保持する一方、裸眼の使用状態の時には、ノーズパッドを鼻翼付近に位置させて支えると共に、第二の耳掛け部が耳陀の付け根に位置し、メガネレンズへの視線の方向が正面視野から下方へ外れて正面視野では裸眼の状態を保持するよう寸法決めしたことにより、この状態において視線を下方に向けることでメガネレンズを見通せるよう構成したことを特徴とする。  しかも、本発明における第二の耳掛け部にあっては、その外周形状を種々の適当な装飾的な形状に変形させて形造つたり、適度な紋様やカラー若しくは細工を施してもよく、こうすことにより、掛けても楽しいファッション感覚で使用することを併せて提供できる。
【発明の効果】
【０００９】本発明によれば、請求項１に記載の如く、近視、遠視或いは老眼等の矯正用メガネレンズと、ノーズパッドとを備えたレンズフレームに、一端を枢着された一対のメガネづるであって、メガネづるの自由端部には、矯正使用時に対応する通常の耳掛け部を有すると共に、これに連続して裸眼の状態に対応する第二の耳掛け部を一体的に成形してなり、メガネレンズによる矯正使用時にはノーズパッドが鼻根付近の鼻屋に位置し、通常の耳掛け部が耳陀の付け根に位置してメガネフレームを矯正使用状態に保持する一方、裸眼の使用状態の時には、ノーズパッドを鼻翼付近に位置させて支えると共に、第二の耳掛け部が耳陀の付け根に位置し、メガネレンズへの視線の方向が正面視野から下方に外れて正面視野では裸眼の状態を保持するよう寸法決めしたことにより、この状態において視線を下方に向けることでメガネレンズを見通せるよう構成したことを特徴とするので、一旦矯正使用のために掛けた眼鏡を、装着したままの状態で近視と老眼(裸眼)、遠視と老眼(裸眼)、及び正常(裸眼)と老眼等、夫々二種類の使用状態に対応することが耳掛け部の位置を僅かにずらす様に移動するだけで可能となり、更にこの状態で、視線を正面視野から下方へと変更するだけでメガネレンズを見通して一時的に矯正状態で使用することができ、いちいちメガネを取り外したり掛けたりする煩わしさがなく、加えてメガネが脱落することが全くないなど、実用的に便利な作用効果を有する。しかも、重要なことは、矯正使用状態に対して裸眼の状態を保持するための第二の耳掛け部に関し、メガネづる自体が一連の成型品で構成されていて、全く回動部やスライド等の可動フレーム構造を有しないので、耐久性に優れたものを安価に提供することができるものである。【００１０】また、本発明のメガネづるは、メガネの裸眼の状態を保持するための第二の耳掛け部を、その外周形状において種々の適当な装飾的な形状に形造ったり、適度な紋様やカラー若しくは細工を施してもよく、こうすることにより、掛けても楽しいファッション感覚で使用することを可能にするなど、簡便にして優れた実用的効果を併せ持つものである。
【図面の簡単な説明】
【００１１】
【図１】本発明の一実施の形態におけるメガネづるを用いた眼鏡全体の説明用斜視図である。
【図２】本発明の図１の実施の形態におけるメガネづるを用いた眼鏡の矯正使用状態を表す説明用側面図である。
【図３】本発明の図１の実施の形態におけるメガネづるを用いた眼鏡の裸眼での使用状態を表す説明用側面図である。
【図４】本発明のメガネづるの別の一実施の形態を表す説明図である。
【発明を実施するための形態】
【００１２】図１に示すように、本発明の一実施の形態におけるメガネづるは、近視、遠視、老眼等の矯正のための度付きメガネレンズ１０，１０と、このメガネレンズ１０を納めるレンズフレーム１１と、レンズフレーム１１の中央部分に対峙するように設けられたノーズパッド１２，１２と、レンズフレーム１１の左右の外側部分に枢軸１３，１３により一端が略９０度の角度範囲に亘り回動自在に取り付けられたメガネづる本体１４，１４により構成される眼鏡において、メガネづる本体１４，１４の特徴的構成として、その自由端側には、矯正使用時に対応する通常の耳掛け部１５，１５を有すると共に、前記メガネレンズ１０，１０に対する視線の方向が下方に外れるようにして正面視野ではメガネレンズ１０，１０が介在しない裸眼の状態に保持するための第二の耳掛け部１６，１６を、この耳掛け部１５，１５に連続して一体的に延設形成してなるものである。
【００１３】
そして、図２に示すように、近視、遠視、老眼等の眼鏡の矯正使用時には、ノーズパッド１２が人の鼻根２０付近の鼻屋２１に位置すると共に、前記通常の耳掛け部１５が耳陀２３の付け根に位置して、メガネレンズ１０に対する正面視野を矯正使用状態に保持するようメガネづる本体１４の寸法を決めてなるものである。この時、第二の耳掛け部１６は、耳陀２３には触れずに浮いた自由な状態にある。
【００１４】一方、裸眼での使用を必要とする時には、眼鏡を掛けたまま上記耳掛け部１５から第二の耳掛け部１６へとメガネづる本体１４を単にずらすだけで、図３に示すように、ノーズパッド１２を鼻根２０から移動して人の鼻翼２２付近に位置させると共に、前記第二の耳掛け部１６が耳陀２３の付け根に位置して、メガネレンズ１０に対する視線の方向が下方に外れて得られる正面視野方向での裸眼状態を保持することができるよう、メガネづる本体１４の寸法を決めてなるものである。即ち、通常の矯正使用時における、ノーズパッド１２と耳掛け部１５との間の距離L１と、裸眼の状態を保持する時におけるノーズパッド１２と第二の耳掛け部１６との距離L２との関係は、L１よりもL２の方が人の鼻根２０と鼻翼２２間寸法を正弦とする相当角度分長く設定してあるので、裸眼の状態に保持する時には、眼鏡を掛けたまま矯正のための度付きメガネレンズ１０を、人の正面視野から下方に外して介在させない様にすることがスムーズにできるので、眼鏡を掛けたまま裸眼状態を保持することができ、これによりメガネを掛けたり外したりする煩わしい動作をすることなく、しかもこの状態で視線を正面視野から下方に向けるだけでメガネレンズ１０を見通した矯正状態が得られ、簡単に二種類の使用状態に切り替え使用することができるのである。
【００１５】なお、本発明のメガネづるにあっては、眼鏡の矯正使用状態から裸眼による使用状態に切り替え使用したり、或いはメガネレンズ１０に対する視線の方向を下方へ外して正面視野で得られる裸眼状態において、近視、遠視、老眼等の眼鏡の矯正使用状態に一時的に戻したりする際に、視線の移動だけで済むので、従来その切り替え使用に必要であったメガネフレームにおける回転やスライド等の可動機構が全く不要であるので、メガネフレーム自体の耐久性に優れているものである。
【００１６】
また、本発明の別の実施形態について、図４に基づいて説明する。
眼鏡の矯正使用状態又は裸眼の状態の何れにおいても、耳陀２３に対して接するのは耳掛け部１５又は第二の耳掛け部１６の下側であるので、特に第二の耳掛け部１６ａの様に、その外周形状においてこれを種々の適当な装飾的な形状に形造ったり、適度な紋様やカラー若しくは細工等を施すことが可能であり、この場合には、掛けても楽しいファッション感覚で使用することができるものであり、その他の構成や使用要領などは、先の図１、図２及び図３のものと変わらないので、説明を省略する。
【００１７】
なお、上述したところでは、本発明のメガネづる及びメガネフレーム等を構成する本体の素材や形状などについて、その成形加工上の観点からは、プラスチック等の合成樹脂材料や、木質若しくは金属材料、或いはこれ等の組合わせ等特に限定されるものではなく、これらを種々組み合わせて或いは変更する等して実施することが可能である。
以上で、本発明の実施の形態についての説明を終えるが、本発明の範囲は図示され、又は説明された詳細そのものには限定されないことは勿論である。
【産業上の利用可能性】
【００１８】
本発明は、これからの高齢化社会にあって、近視又は遠視の人或いは正常な視力の人が、年齢とともに視力が衰えて老眼になる人が益々増えているためにその需要を増し、一つの眼鏡でありながら、近視や遠視等の矯正使用状態と裸眼の状態との二種類の使用状態に、メガネを掛けたまま対応する事ができる便利な機能を発揮するものであるので、一般家庭に限らず産業分野でも利用可能である。
【符号の説明】
【００１９】
１０  矯正度付きメガネレンズ
１１  レンズフレーム
１２  ノーズパッド
１３  枢軸  
１４  メガネづる本体
１５  通常の耳掛け部
１６，１６ａ  第二の耳掛け部
２０  鼻根
２１  鼻屋
２２  鼻翼
２３  耳陀
【図１】
0005544605.tif 000002
【図２】
0005544605.tif 000003
【図３】
0005544605.tif 000004
【図４】
0005544605.tif 000005